(57)【特許請求の範囲】
【請求項１】
通水されて浄水を吐出する浄水ユニット、
前記浄水ユニットが脱着可能に構成され、浄水が加熱される加熱手段を有する給湯ユニット、及び
前記浄水ユニットからの浄水を吐出する浄水口を持つ浄水パイプと、前記給湯ユニットにおいて加熱された浄水を吐出する出湯口を持つ給湯パイプと、温度の異なる浄水の吐出を選択的に操作するための操作パネルとを有する浄水給湯栓、を備え、
前記浄水給湯栓が前記給湯パイプを内包するよう構成された給湯装置。
【請求項２】
浄水給湯栓が、給湯ユニットにおいて生じた蒸気を排出する蒸気口を有し、当該蒸気口が前記給湯パイプの出湯口近傍に配設された請求項１記載の給湯装置。
【請求項３】
浄水給湯栓において、出湯口が蒸気口より使用者側に設けた請求項２に記載の給湯装置。
【請求項４】
浄水給湯栓の上面側に少なくとも加熱された浄水を吐出するために操作する熱湯ボタンを有する操作パネルを設け、前記浄水給湯栓の下面側に出湯口を設けた請求項１乃至３のいずれか一項に記載の給湯装置。
【請求項５】
複数の制御情報を表示する表示部を有し、浄水ボタンと熱湯ボタンの間に前記表示部を配置した請求項１乃至４のいずれか一項に記載の給湯装置。
【請求項６】
浄水給湯栓の出湯口の回りに当該出湯口の端部より下方に突出した外周壁を設けた請求項１乃至５のいずれか一項に記載の給湯装置。
【請求項７】
浄水給湯栓が熱湯ボタンの操作による出湯可能状態を表示する出湯表示窓を有し、前記出湯表示窓が前記浄水給湯栓の側壁に設けられた請求項４又は５のいずれか一項に記載の給湯装置。
【請求項８】
浄水給湯栓が、給湯可能時に警報音を発する警報手段を有する請求項１乃至７のいずれか一項に記載の給湯装置。
【請求項９】
給湯ユニットが、浄水が貯えられる加熱容器と、前記加熱容器の下部に設けられ貯えられた浄水を加熱するヒータと、浄水ユニットからの浄水を前記加熱容器の下方の前記ヒータ近傍に導く給水口を有する給水手段と、前記加熱容器内において前記給水口より上方の位置に配置された取入口を有する給湯パイプとを有する請求項１乃至８のいずれか一項に記載の給湯装置。
【請求項１０】
給水手段が、上部が開放されて浄水ユニットからの浄水を受け取る給水バッファと、前記給水バッファの浄水を加熱容器の下方に導く滴下パイプとにより構成された請求項９に記載の給湯装置。
【発明の詳細な説明】
【０００１】
【発明の属する技術分野】
本発明は、システムキッチンにおけるキッチンユニットに組み込まれる給湯装置に関し、特に飲用、調理用の湯を供給する給湯装置に関する。
【０００２】
【従来の技術】
近年の安全志向や健康志向により、水道水に含まれる塩素、塩素化合物、金属等を除去し、臭いや濁りを取り除く電子水栓式の浄水器が組み込まれたキッチンユニットが開発され商品化されている。また、このような浄水器と組み合わせて、飲用、調理用の湯を供給する給湯装置を組み込んだキッチンユニットも開発されている。このような給湯装置としては特開２００１−３４３１５４号公報に開示された給湯装置がある。
【０００３】
図６は特開２００１−３４３１５４号公報に開示された従来の給湯装置を示す断面図である。図６に示すように、キッチンユニット１００に導入された水道管１０１は、分岐栓１０２を介して水栓１０３と止水栓１０４に接続されている。水栓１０３はシンク１０５の縁近傍に設けられており、シンク１０５内への水の吐出を調整する。分岐栓１０２から止水栓１０４を通った水は、浄水カートリッジ１１０において浄化されて加熱容器１０６及び浄水給湯栓１１６に供給される。加熱容器１０６への浄水は、加熱容器１０６内の上部に配置された供給口１０８から供給される。加熱容器１０６の底部にはヒータ１０７が設けられており、貯められた水が加熱されるよう構成されている。加熱容器１０６内の湯は、加熱容器１０６の底部に設けられた取出口からポンプ１２０により浄水給湯栓１１６に送り込まれている。ポンプ１２０に対する駆動制御は、浄水給湯栓１１６の上面に設けられた操作部１１８において行われる。浄水給湯栓１１６に送り込まれた高温度の湯は、浄水給湯栓１１６を貫通する湯パイプ１１５を通り、シンク１０５内に浄水給湯栓１１６から導出した突出湯パイプ１１５ａから吐出される。一方、浄水カートリッジ１１０から浄水給湯栓１１６へ直接送られた浄水は、流量調整レバー１１７の手動による開閉操作により浄水パイプ１１４からの吐出が制御される。
【０００４】
【発明が解決しようとする課題】
上記のようにキッチンユニット１００に組み込まれた給湯装置においては、熱湯がシンク１０５内に吐出される構成であるため、キッチンユニット１００において作業等をしている使用者にとって、熱湯や高熱部分が使用者に触れることのないよう安全を図ることが重要な課題であった。特に、上記のように構成された従来の給湯装置は、熱湯を吐出する湯パイプ１１５の突出湯パイプ１１５ａがシンク内に露出しているため、給湯時はもちろん給湯直後において高温度の突出湯パイプ１１５ａに使用者の手等が接触するおそれがあり、安全上問題があった。また、従来の給湯装置においては熱湯と浄水とを得る場合に操作が異なるため、操作性の点で問題があった。
以上のように、システムキッチンに設けられた給湯装置においては、浄水と高温度の湯をキッチンユニット１００のシンク近傍において得ることができる構成であるため、使用者にとって操作が容易であるとともに安全性の高い給湯装置を提供することがこの分野の解決すべき課題であった。
本発明は、上記の課題を解決するものであり、使用者にとって安全性が高く優れた操作性を有する給湯装置を提供することを目的としている。
【０００５】
【課題を解決するための手段】
前記目的を達成するために、本発明に係る給湯装置は、
通水されて浄水を吐出する浄水ユニット、
前記浄水ユニットが脱着可能に構成され、浄水が加熱される加熱手段を有する給湯ユニット、及び
前記浄水ユニットからの浄水を吐出する浄水口を持つ浄水パイプと、前記給湯ユニットにおいて加熱された浄水を吐出する出湯口を持つ給湯パイプと、温度の異なる浄水の吐出を選択的に操作ための操作パネルとを有する浄水給湯栓、を備え、前記浄水給湯栓が前記給湯パイプを内包するよう構成されている。このように構成することにより、温度の異なる浄水の吐出を操作パネルにおいて容易に選択することができるとともに、使用者が熱湯を吐出するための給湯パイプに接触することが確実に防止され、使用者にとって安全性が高く優れた操作性を有する給湯装置を提供することができる。
【０００６】
【発明の実施の形態】
請求項１記載の発明は、通水されて浄水を吐出する浄水ユニット、
前記浄水ユニットが脱着可能に構成され、浄水が加熱される加熱手段を有する給湯ユニット、及び
前記浄水ユニットからの浄水を吐出する浄水口を持つ浄水パイプと、前記給湯ユニットにおいて加熱された浄水を吐出する出湯口を持つ給湯パイプと、温度の異なる浄水の吐出を選択的に操作するための操作パネルとを有する浄水給湯栓、を備え、
前記浄水給湯栓が前記給湯パイプを内包するよう構成された給湯装置である。このように構成することにより、浄水と熱湯とを容易に使い分けることができるとともに、高温となる給湯パイプが露出されていないので使用者がキッチンユニットで作業中等において不意に高熱部分に触れることを防止することが可能となり、使用者にとっての使用上の安全性を確保した給湯装置を提供できる。
【０００７】
請求項２記載の発明は、請求項１に記載の発明における浄水給湯栓が、給湯ユニットにおいて生じた蒸気を排出する蒸気口を有し、当該蒸気口が給湯パイプの出湯口近傍に配設された給湯装置である。このように構成された給湯装置は、高温と認識されやすい出湯口の近くに蒸気口が配置されているので、使用者がキッチンユニットで作業中等において不意に高熱の蒸気に触れることがなく、使用者にとっての使用上の安全性を確保した給湯装置を提供できる。
【０００８】
請求項３記載の発明は、請求項２に記載の発明における浄水給湯栓において、出湯口を蒸気口より使用者側に設けた給湯装置である。このように構成された給湯装置は、蒸気口を高温と認識されやすい出湯口の近くに設け、かつ蒸気口が出湯口に対して使用者側と反対側に配置されているため、使用者が排出された蒸気に触れにくい構成であり、使用者が蒸気に不意に接触することのない安全性の高い装置となる。
【０００９】
請求項４記載の発明は、請求項１乃至３のいずれかの発明における浄水給湯栓の上面側に少なくとも加熱された浄水を吐出するために操作する熱湯ボタンを有する操作パネルを設け、前記浄水給湯栓の下面側に出湯口を設けた給湯装置である。このように構成された給湯装置は、熱湯ボタンの操作により給湯動作を違和感なく行える装置となる。
【００１０】
請求項５記載の発明は、請求項１乃至４のいずれかに記載の発明において、複数の制御情報を表示する表示部を有し、浄水ボタンと熱湯ボタンの間に前記表示部を配置した給湯装置である。このように構成された給湯装置は、複数の制御情報を表示する広いエリアで浄水ボタンと熱湯ボタンとが分離されて配置されているため、押し間違いの誤操作のおそれがなく、浄水と熱湯とを容易に使い分けることができるとともに、使用者が違和感なく給湯動作を行うことができる。
【００１１】
請求項６記載の発明は、請求項１乃至５のいずれかに記載の発明における浄水給湯栓の出湯口の回りに当該出湯口の端部より下方に突出した外周壁を設けた給湯装置である。このように構成された給湯装置は、使用者がキッチンユニットで作業中等において不意に出湯口の高熱部分に触れることがなく、また水切れを良くするために出湯口の端部を尖った形状に構成しても外周壁があるため出湯口に手等が触れにくくなり使用者にとっての使用上の安全性を確保した装置である。
【００１２】
請求項７記載の発明は、請求項４又は５のいずれかに記載の発明における浄水給湯栓が熱湯ボタンの操作による出湯可能状態を表示する出湯表示窓を有し、前記出湯表示窓が前記浄水給湯栓の側壁に設けられた給湯装置である。このように構成された給湯装置は、側方遠くからでも、また背の低い人が使用する場合でも熱湯が出湯可能状態であることを容易に認識することができるため、安全性の高い装置である。
【００１３】
請求項８記載の発明は、請求項１乃至７のいずれかに記載の発明における浄水給湯栓が、給湯可能時に警報音を発する警報手段を有する給湯装置である。このように構成された給湯装置は、熱湯が排出されることを使用者が容易に認識することができるため、安全性の高い装置である。
【００１４】
請求項９記載の発明は、請求項１乃至８のいずれかに記載の発明における給湯ユニットが、浄水が貯えられる加熱容器と、前記加熱容器の下部に設けられ貯えられた浄水を加熱するヒータと、浄水ユニットからの浄水を前記加熱容器の下方の前記ヒータ近傍に導く給水口を有する給水手段と、前記加熱容器内において前記給水口より上方の位置に配置された取入口を有する給湯パイプとを有する給湯装置である。このように構成された給湯装置は、実質的にいつでも所定温度以上の浄水を吐出することが可能となり、信頼性が高く、かつ安全性の高い装置である。
【００１５】
請求項１０記載の発明は、請求項９に記載の発明において給水手段が、上部が開放されて浄水ユニットからの浄水を受け取る給水バッファと、前記給水バッファの浄水を加熱容器の下方に導く滴下パイプとにより構成された給湯装置である。このように構成された給湯装置は、実質的にいつでも所定温度以上の浄水を吐出することが可能となり、信頼性が高く、かつ安全性の高い装置である。
【００１６】
【実施例】
以下、本発明の給湯装置に係る具体的な実施例について添付の図面を用いて説明する。
図１は、本発明の給湯装置に係る具体的な実施例の構成を示す断面図である。図１において、キッチンユニット１００に導入された水道管１は、分岐栓２を介して水栓３と止水栓４に接続されている。水栓３はキッチンユニット１００の上部でシンク５の縁近傍に設けられており、シンク５内への水を吐出調整できるよう構成されている。分岐栓２から止水栓４を通過した水は、給水弁部１０を通って浄水カートリッジ１１に送られる。給水弁部１０は、濾過器であるストレーナ５、逆止弁６、流量調整弁７及び給止弁８が設けられており、１つの筐体ユニットに構成されている。また、給水弁部１０の筐体ユニット内には漏水を検知するための漏水センサ９が設けられている。
【００１７】
浄水カートリッジ１１に送り込まれた水は、含有塩素、塩素化合物、金属、臭い、その他の濁り成分等が十分に取り除かれて、給湯ユニット２０に送り込まれる。この浄水カートリッジ１１は、１つの筐体ユニットに形成された給湯ユニット２０に容易に着脱可能に構成されている。浄水カートリッジ１１の着脱状態は、カートリッジ有無検知スイッチ１２により認識され得る。
【００１８】
給湯ユニット２０において、浄水カートリッジ１１からの浄水は、流量計１３を介して切換弁１４に到達し、この切換弁１４により加熱部１５又は浄水給湯栓３０に供給され得るよう構成されている。加熱部１５において、加熱容器１８への浄水は、加熱容器１８内の上部に配置された給水口１７から供給される。加熱容器１８の底部にはヒータ１９が設けられており、加熱容器１８に貯められた水が所定温度に加熱される。この加熱容器１８の側面及び上面は断熱材２１に覆われており、加熱容器１８内の浄水が所定温度に維持されるよう構成されている。
【００１９】
加熱容器１８内には給水口１７からの浄水を受ける給水バッファ２２が設けられており、この給水バッファ２２には給水口１７からの浄水を加熱容器１８の下方へ導く滴下パイプ２３が接続されている。このように加熱容器１８内に給水バッファ２２と滴下パイプ２３を設けることにより、給水口１７から送り込まれた所定温度以下の浄水が加熱容器１８の下方に導かれ、加熱容器１８の下部に取り付けられたヒータ１９により加熱される。また、加熱容器１８内には水位センサ２４が設けられており、加熱容器１８内の浄水量が常に監視されるよう構成されている。なお、加熱容器１８内において生じた蒸気は、蒸気パイプ２８を通り浄水給湯栓３０に設けた蒸気口３２から排出される。
【００２０】
給湯ユニット２０における加熱容器１８の底部には、温度センサ３４が設けられており加熱容器１８が所定温度以上になり、過熱状態とならないよう検知している。また、給湯ユニット２０の内側底面には、漏水センサ３５が設けられており給湯ユニット２０内の漏水状態を検知できる構成である。さらに、給湯ユニット２０にはカートリッジリセットスイッチ３６が設けられており、浄水カートリッジ１１を装着するとき、カートリッジリセットスイッチ３６を押圧することにより、使用量を示すデータのリセットが行われる。
【００２１】
浄水給湯栓３０における後述する操作パネル４１からの給湯指令により、加熱容器１８内において所定温度の浄水（本実施例では約９５℃の熱湯）は、加熱容器１８の満水状態における水位の略中間位置（少なくとも、浄水を加熱容器１８の下方のヒータ近傍に導く滴下パイプ２３の給水口より上方の位置）に設けられた取出口２５からポンプ２６に送り込まれる。ポンプ２６に送り込まれた所定温度の浄水（湯）は、給湯パイプ２７を通り浄水給湯栓３０の出湯口３１からシンク５の内側へ吐出される。この出湯口３１は、浄水給湯栓３０における下面側の突出端部近傍に設けられており、蒸気を排出する蒸気口３２の近傍に設けられている。
一方、浄水給湯栓３０の上面側に設けられた操作パネル４１から給浄水指令が出力された場合、浄水カートリッジ１１を通った浄水は、切換弁１４及び逆止弁３３を介して浄水パイプ２９を流れ、浄水給湯栓３０の浄水口３７から吐出される。
【００２２】
次に、本実施例における浄水給湯栓３０について説明する。
図２は浄水給湯栓３０の前面側外観を斜め上方から見た斜視図である。図２に示すように、浄水給湯栓３０の上面には操作パネル４１が形成されており、この操作パネル４１の背面側から浄水パイプ２９の導出部分２９ａが略コの字状の形状を有して導出している。浄水給湯栓３０の上面に形成された操作パネル４１の具体的な例を図３に示す。図３は浄水給湯栓３０の平面図（上面図）である。図３において、浄水パイプ２９の導出部分２９ａは３６０度回転可能であるため２点鎖線にて示す。
【００２３】
図３に示すように、浄水給湯栓３０の上面に形成された操作パネル４１には、背面側（奥側）から電源ボタン５１、浄水ボタン５２、表示部５３、熱湯ボタン５４、及びロック解除ボタン５５が設けられている。電源ボタン５１は給湯装置全体に対する電源の供給／停止を行うスイッチである。浄水ボタン５２は浄水口３７からの浄水の吐出／停止を行うスイッチである。熱湯ボタン５４は出湯口３１からの湯の吐出／停止を行うスイッチであるが、熱湯ボタン５４の押圧直前にロック解除ボタン５５を押圧して、給湯ロックの解除を行う必要がある。
【００２４】
本実施例の浄水給湯栓３０には、熱湯が出湯口３１から吐出することが可能な出湯可能状態であることを示す出湯表示窓３８と、この出湯可能状態のとき警報音を発する警報手段が設けられている。このように出湯表示窓３８と警報手段を設けることにより、本実施例の給湯装置では出湯可能状態を使用者に確実に知らせて注意を喚起している。なお、本実施例においては、通常使用時の出湯可能状態のときは警報音を発生させず、使用者に熱湯の排出要求を行うとき（例えば、加熱容器１８に対して給水、排水を繰り返して洗浄する「洗浄モード」や、クエン酸溶液を出湯口３１から注入して加熱容器１８を洗浄する「クエン酸洗浄モード」等のとき）にのみ警報音を発生させるよう選択することも可能である。本実施例においては前記の排出要求状態も出湯可能状態に含まれる。
【００２５】
図２に示すように、出湯表示窓３８は浄水給湯栓３０の前面端部に形成されており、熱湯ボタン５４の押圧により給湯可能となることを表示するものである。給湯可能状態はＬＥＤによる光が出湯表示窓３８を通して出射されることにより、使用者に認識できるよう構成されている。警報音は浄水給湯栓３０の内部に設けられた警報手段が発し、警報手段はロック解除ボタン５５による給湯ロックの解除と連動するよう構成されている。
【００２６】
図３に示すように、操作パネル４１において、浄水ボタン５２と熱湯ボタン５４との間には表示部５３が設けられており、給湯装置におけるそのときの使用環境を表示している。図３に示した表示部５３は、具体的な一例として示したものであり、本発明はこのような表示構成に限定されるものではない。図３に示した表示部５３には、チャイルドロック状態を発光して示すキーマークと、加熱容器１８内の残湯量を段階的に示す複数の発光窓と、クエン酸洗浄を必要としている場合やクエン酸洗浄中等であることを発光して示す文字表示と、浄水カートリッジ１１の交換時期到来を発光して示す文字表示とを有する。
なお、浄水給湯栓３０の背面側には非常用操作部４２が設けられており、この非常用操作部４２にはチャイルドロック状態を形成するためのチャイルドロックスイッチと、洗浄モードへ移行するための洗浄スイッチが設けられている。
【００２７】
図４は本実施例の浄水給湯栓３０の縦断面図である。図４に示すように、浄水給湯栓３０の上部側には操作パネル４１等のための回路基板が配置されており、下部側には出湯口３１に通じる給湯パイプ２７と、蒸気口３２に通じる蒸気パイプ２８が配置されている。また、浄水給湯栓３０の背面側には、浄水パイプ２９が貫通するよう設けられており、この浄水パイプ２９に対して導出部分２９ａが回転可能に設けられている。この導出部分２９ａは浄水パイプ２９に対して回転可能とするため、浄水パイプ２９と導出部分２９ａとの間に凹凸の密着係合部分とシールで構成された係合手段２９ｂが設けられている。
【００２８】
図４に示すように、浄水給湯栓３０の操作パネル４１において、使用者がロック解除ボタン５５と熱湯ボタン５４を押圧することにより電気的接点の接触により給湯ユニット２０のポンプ２６（図１）が駆動され、給湯パイプ２７の出湯口３１から熱湯（本実施例では約９５℃の湯）が吐出される。図４に示されているように、浄水給湯栓３０において、その上面側に設けられた操作パネル４１のロック解除ボタン５５と熱湯ボタン５４の直下近傍に出湯口３１が配設されている。このように本実施例においては、使用者が熱湯を得る場合に熱湯ボタン５４を押圧して、その直下近傍から熱湯が出る構成であるため、使用者は違和感なく熱湯ボタンの操作を行うことができる。また、本実施例においては出湯口３１の近傍に蒸気口３２を配設して高温度の流体が吐出する位置を一部位に集中して使用者が注意するよう構成されているため、使用者が不意に高温度の流体に触れるという事故を防止している。
【００２９】
なお、本実施例においては、図４に示すように、浄水給湯栓３０の内部においてキッチンユニット１００内部からの給湯パイプ２７には樹脂製の導出パイプ２７ａが接続されており、また蒸気パイプ２８には樹脂製の導出パイプ２８ａが接続されている。これらの導出パイプ２７ａ，２８ａの上部には操作パネル４１等のための回路基板が設けられているため、導出パイプ２７ａ，２８ａからの熱が回路基板へ伝わらないよう断熱材が配設されている。また、浄水給湯栓３０の外観を構成するケースは樹脂材により形成されている。
【００３０】
図５は本実施例の浄水給湯栓３０の出湯口３１の近傍を示す下方から見た底面図である。図５に示すように、出湯口３１にはその外周を取り囲むように熱伝導率の低い樹脂材により形成された外周壁３１ａが設けられている。この外周壁３１ａの高さ（突出長さ）は出湯口３１の突出長さより大きく形成されており、水平方向から見た場合、出湯口３１は外周壁３１ａにより隠れて見えない状態である。このため、出湯直後において、浄水給湯栓３０の先端下面側に手等が触れたとしても、外周壁３１ａの存在により手等が出湯口３１に直接接触することがなく、安全性が確保されている。なお、本実施例の浄水給湯栓３０において、下面側にある出湯口３１は上面側にある操作パネル４１の熱湯ボタン５４の直下近傍に配設されているため、使用者の熱湯吐出動作を違和感なく操作できるよう構成されている。
また、図５に示すように、高温度の蒸気が排出される蒸気口３２は、熱湯が吐出する出湯口３１の近傍に設けられているため、台所で作業中の使用者が通常の動作において、排出された蒸気に触れるおそれはない。
【００３１】
上記のように構成された本実施例の給湯装置は、出湯口３１の外周を取り囲むように外周壁３１ａが設けられているため、使用者がキッチンユニットで作業中等において、不意に出湯口３１の高熱部分に触れることがない。また、水切れを良くするために出湯口３１の端部を尖った形状に構成してもその端部より突出した外周壁３１ａを設けることにより、使用者の手等が出湯口３１に直接触れることが防止された安全性の高い給湯装置を提供することができる。
【００３２】
【発明の効果】
以上、実施例について詳細に説明したところから明らかなように、本発明は次の効果を有する。
請求項１記載の発明によれば、給湯装置における浄水給湯栓が、給湯ユニットにおいて加熱された浄水を吐出する出湯口を持つ給湯パイプを内包し、温度の異なる浄水の吐出を選択的に操作ための操作パネルを有するよう構成されているため、浄水と熱湯とを容易に使い分けることができるととも、使用者が作業中等に不意に高熱部分に触れることが防止されており、安全性の高い給湯装置を提供することができる。
【００３３】
請求項２記載の発明によれば、浄水給湯栓において、蒸気を排出する蒸気口が給湯パイプの出湯口近傍に配設されているため、使用者が不意に高温度の蒸気に触れることがなく、使用者にとっての安全性の高い給湯装置を提供することができる。
【００３４】
請求項３記載の発明によれば、浄水給湯栓の操作パネルにおいて、出湯口を蒸気口より使用者側に設けたため、熱湯と蒸気に不意に接触することがなく安全性の高い給湯装置を提供することができる。
【００３５】
請求項４記載の発明によれば、浄水給湯栓の上面側に少なくとも熱湯ボタンを有する操作パネルを設け、浄水給湯栓の下面側に出湯口を設けたため、熱湯ボタンの操作により給湯動作を違和感なく行える、優れた操作性を有する給湯装置を提供することができる。
【００３６】
請求項５記載の発明によれば、複数の制御情報を表示する表示部を浄水ボタンと熱湯ボタンの間に配置したため、浄水と熱湯とを容易に使い分けることができるととも、使用者が違和感なく給湯動作を行うことができ、優れた操作性を有する給湯装置を提供することができる。
【００３７】
請求項６記載の発明によれば、浄水給湯栓において、出湯口の回りにこの出湯口の端部より下方に突出した外周壁を設けているため、使用者がキッチンユニットで作業中等において不意に高熱部分に触れることがなく、安全性の高い給湯装置を提供することができる。
【００３８】
請求項７記載の発明によれば、浄水給湯栓が出湯可能状態を表示する出湯表示窓を浄水給湯栓の側壁に有しているため、使用者が容易に認識することができ、安全性の高い給湯装置を提供することができる。
【００３９】
請求項８記載の発明によれば、浄水給湯栓が、給湯可能時に警報音を発する警報手段を有しているため、熱湯が排出されることを使用者が容易に認識することができ、安全性の高い給湯装置を提供することができる。
【００４０】
請求項９記載の発明によれば、給湯装置が実質的にいつでも所定温度以上の浄水を吐出することが可能となり、信頼性の高い給湯装置を提供することができる。
【００４１】
請求項１０記載の発明によれば、給水手段が、上部が開放されて浄水ユニットからの浄水を受け取る給水バッファと、給水バッファの浄水を加熱容器の下方に導く滴下パイプとにより構成されているため、実質的にいつでも所定温度以上の浄水を吐出することが可能となり、信頼性の高い給湯装置を提供することができる。
【図面の簡単な説明】
【図１】本発明の給湯装置に係る具体的な実施例の構成を示す断面図である。
【図２】本実施例の給湯装置における浄水給湯栓３０の前面側外観を斜め上方から見た斜視図である。
【図３】本実施例の給湯装置における浄水給湯栓３０の平面図（上面図）である。
【図４】本実施例の給湯装置における浄水給湯栓３０の縦断面図である。
【図５】本実施例の給湯装置における浄水給湯栓３０の出湯口３１の近傍を示す図である。
【図６】従来の給湯装置を示す断面図である。
【符号の説明】
１    水道管
２    分岐線
３    水栓
４    止水栓
５    シンク
６    逆止弁
７    流量調整弁
８    給水弁
９    漏水センサ
１０    給水弁部
１１    浄水カートリッジ
１２    カートリッジ有無検知スイッチ
１３    流量計
１４    切換弁
１５    加熱部
１６    逆止弁
１７    給水口
１８    加熱容器
１９    ヒータ
２０    給湯ユニット
２１    断熱材
２２    給水バッファ
２３    滴下パイプ
２４    水位センサ
２５    取出口
２６    ポンプ
２７    給湯パイプ
２８    蒸気パイプ
２９    浄水パイプ
３０    浄水給湯栓
３１    出湯口
３２    蒸気口
３３    逆止弁
３４    温度センサ
３５    漏水センサ
３６    カートリッジリセットスイッチ
３７    浄水口
３８    出湯表示窓
４１    操作パネル
４２    非常用操作部
５１    電源ボタン
５２    浄水ボタン
５３    表示部
５４    熱湯ボタン
５５    ロック解除ボタン
１００    キッチンユニット
【図１】
0003593524.tif 000002
【図２】
0003593524.tif 000003
【図３】
0003593524.tif 000004
【図４】
0003593524.tif 000005
【図５】
0003593524.tif 000006
【図６】
0003593524.tif 000007